(57)【要約】【課題】近接非接触通信機器に搭載された近接非接触通信用のアンテナと、外部近接非接触通信カードとで行う近接非接触通信を、長期間に亙り、安定した状態で行うことができる信頼度の高い近接非接触通信機器の充電台を提供する。【解決手段】近接非接触通信機能を有する携帯電話機（近接非接触通信機器）１に充電を行う携帯電話機１の充電台２であって、充電台２の筐体２０には、携帯電話機１との間で近接非接触通信可能な外部近接非接触通信カード３を保持するカードホルダ部２２を設けてある。【選択図】  図１
2005020161.tif 000002
【特許請求の範囲】
【請求項１】
近接非接触通信機能を有する近接非接触通信機器に充電を行う近接非接触通信機器の充電台であって、
前記充電台の筐体には、前記近接非接触通信機器との間で近接非接触通信可能な近接非接触通信カードを保持するカードホルダ部を設けてあることを特徴とした近接非接触通信機器の充電台。
【請求項２】
前記カードホルダ部は、前記筐体の側面に、前記近接非接触通信カードを出し入して挿入する挿入口を有することを特徴とした請求項１記載の近接非接触通信機器の充電台。
【請求項３】
前記カードホルダ部は、近接非接触通信カードを長手方向が水平方向に平行な横置きで保持することを特徴とする請求項１または２記載の近接非接触通信機器の充電台。
【請求項４】
前記カードホルダ部は、前記充電台の筐体に対してスライドするスライド機構を有することを特徴とした請求項１〜３のいずれか１項記載の近接非接触通信機器の充電台。
【請求項５】
前記カードを挿入するカードホルダ部と、前記近接非接触通信機器のセット時に前記近接非接触通信機器が有する近接非接触通信用アンテナと対向する部分は、透磁率が低く、かつ、非導電性を有する材料で形成してあることを特徴とした請求項１〜４のいずれか１項記載の近接非接触通信機器の充電台。
【請求項６】
前記近接非接触通信機器は、近接非接触通信機能とともに携帯電話機能を有することを特徴とする請求項１〜５のいずれか１項記載の近接非接触通信機器の充電台。
【発明の詳細な説明】
【０００１】
【発明の属する技術分野】
本発明は、近接非接触通信機能を備えた近接非接触通信機器に充電を行う充電台に係り、特に近接非接触通信機器を搭載した状態のままその近接非接触通信機器との近接非接触通信を行わせるために、近接非接触通信カードを保持する近接非接触通信機器の充電台に関する。
【０００２】
【従来の技術】
近時、個人情報、例えば電話帳などのデータが記憶された電子データを携帯電話機へ複写したり、病院や薬局などでの電子カルテの読取・書込や住民票・戸籍などの電子化された住民台帳データの閲覧・請求などを行ったり、個人の趣味のデータ（音楽や画像などの各種データ）を自己の携帯電話機などへ転送・複写・記憶させたり、自動販売機などのプリペイド用として金額データを所望の電子機器へ読取って入力したり、或いは遊園地・駅などでの改札通過用のパスなどとして使用することができる、換言すれば、通信相手を接触あるいは密着する程度まで近接させて、具体的には電界或いは磁界の作用する凡そ１０ｃｍ以下程度の近接領域において、電界或いは磁界を利用して通信を行う通信システム（以下、これを「近接非接触通信システム」とよぶ）の開発要求が高まってきている。
【０００３】
このため、携帯通信機器に搭載された近接非接触通信部と、外部側の近接非接触通信カード（以下、これを「外部近接非接触通信カード」とよぶ）との間で近接非接触通信を行うことができる近接非接触通信システムが各種提案され開発が試みられている（例えば、特許文献１参照）。
【０００４】
このような近接非接触通信システムに対応した携帯通信機器としては、例えば図１１に示すように、操作キーなどを設けた下側（メイン側）筐体１０１とＬＣＤなどを設けた上側筐体１０２とを備えた折畳式の携帯電話機において、下側筐体１０１内部に、基地局などとの送受信を行う携帯無線用のアンテナ１０３と、近接非接触通信を行う近接非接触通信用のアンテナ１０４とを備えた構成のものが知られている。
【０００５】
即ち、この近接非接触通信システムに対応した携帯通信機器では、携帯電話機に設けた携帯電話用のアンテナ１０３を介して基地局などと通話或いはデータ通信などを行う一方、近接非接触通信カード１０５を矢印で示すように、携帯式移動体電話装置内の近接非接触通信用アンテナ１０４へ接近させてかざしたり密着させることより、携帯式移動体電話装置内の近接非接触通信用アンテナ１０４と近接非接触通信カード１０５との間で近接非接触通信ができるように構成されている。
【０００６】
【特許文献１】
特開２００２−２３６９０１号公報（第２頁右欄、段落［０００２］）
【０００７】
【発明が解決しようとする課題】
前述したように、従来の近接非接触通信システムに対応した携帯通信機器などにあっては、この携帯通信機器に搭載された近接非接触通信用のアンテナと外部近接非接触通信カードとの間で近接非接触通信を行う際、携帯通信機器に対して外部近接非接触通信カードを手で持ちながら、近接非接触通信用のアンテナの設置されている部位の近傍へ、この外部近接非接触通信カードをかざしたり、密着させていた。
【０００８】
そのため、例えば手で持ちながらかざしたりすると、手ぶれおよび位置ずれななどにより、外部近接非接触通信カードの保持位置が一定に固定できずに、安定した近接非接触通信が得られず、通信エラーを起こす場合があった。また、外部近接非接触通信カードを手で持っていたため、外部近接非接触通信カードのアンテナ同調がずれてしまい、通信エラーを起こす場合もあった。
一方、外部近接非接触通信カードを長期間にわたり何度も密着させると、双方の密着部位が磨耗したり、破損するといったトラブルを発生する虞もある。
【０００９】
本発明は、このような従来の問題を解決するためになされたものであり、近接非接触通信機器に搭載された近接非接触通信用のアンテナと、外部近接非接触通信カードとで行う近接非接触通信を、長期間に亙り、安定した状態で行うことができる信頼度の高い近接非接触通信機器の充電台を提供することを目的とする。
【００１０】
【課題を解決するための手段】
本発明の近接非接触通信機器の充電台は、近接非接触通信機能を有する近接非接触通信機器に充電を行う近接非接触通信機器の充電台であって、
前記充電台の筐体には、前記近接非接触通信機器との間で近接非接触通信可能な近接非接触通信カードを保持するカードホルダ部を設けてある構成を有している。
【００１１】
この構成により、近接非接触通信機器に搭載された近接非接触通信用のアンテナと、外部近接非接触通信カードとで行う近接非接触通信を、長期間に亙り、安定した状態で行うことができる信頼度の高い近接非接触通信機器の充電台が得られる。
【００１２】
本発明の近接非接触通信機器の充電台は、前記カードホルダ部が、前記筐体の側面に、前記近接非接触通信カードを出し入して挿入する挿入口を有する構成となっている。
【００１３】
この構成により、カードホルダ部が上ではなく側方に設けてあるので、上から落下してくる埃等がカードホルダ部の内部へ進入するのを防止でき、カードホルダ部での埃等の堆積などに起因した故障や不安定な通信などの発生を防止できる。
【００１４】
本発明の近接非接触通信機器の充電台は、前記カードホルダ部が、近接非接触通信カードを長手方向が水平方向に平行な横置きで保持する構成を有している。
【００１５】
この構成により、近接非接触通信システムに対応した近接非接触通信機器に携帯無線機能を有する場合には、携帯無線用のアンテナと外部近接非接触通信カードのアンテナとの距離を離すことが可能となり、双方のアンテナの結合によるアンテナ特性劣化を防ぐことができる。
【００１６】
本発明の近接非接触通信機器の充電台は、前記カードホルダ部が、前記充電台の筐体に対してスライドするスライド機構を有する構成となっている。
【００１７】
この構成により、カードホルダ部がスライドすることにより、近接非接触通信機能を有する近接非接触通信機器に搭載された近接非接触通信用のアンテナが近接非接触通信機器の上側位置又は下側位置のいずれに設置されてあっても、良好な状態での近接非接触通信を行うことができる。
【００１８】
本発明の近接非接触通信機器の充電台は、前記カードを挿入するカードホルダ部と、前記近接非接触通信機器のセット時に前記近接非接触通信機器が有する近接非接触通信用アンテナと対向する部分が、透磁率が低く、かつ、非導電性を有する材料で形成してある構成を有している。
【００１９】
この構成により、カードを挿入するカードホルダ部、および近接非接触通信システムに対応した近接非接触通信機器に搭載された近接非接触通信用のアンテナ面が、透磁率が低く、かつ、非導電性の材料で形成されていることにより、近接非接触通信で使用している磁界などが遮られることがなく、更に一層安定した状態で近接非接触通信を行うことができる。
【００２０】
本発明の近接非接触通信機器の充電台は、前記近接非接触通信機器が、前記近接非接触通信機能とともに携帯電話機能を有する構成となっている。
【００２１】
この構成により、充電を行う対象である近接非接触通信機器は、携帯電話機能を有することにより、携帯電話機として使用することができる。
【００２２】
【発明の実施の形態】
以下、この発明に係る実施の形態について、添付図面を参照しながら詳細に説明する。
【００２３】
［第１の実施形態］
本発明の第１の実施形態の近接非接触通信システムに対応した携帯電話機１及びこの携帯電話機１を（傾斜した状態で）搭載させる充電台２を図１に示す。
図１において、この携帯電話機１には、携帯無線用のアンテナ（以下、これを「第１アンテナ」とよぶ）１１及び近接非接触通信用のアンテナ（以下、これを「第２アンテナ」とよぶ）１２を設けているとともに、充電台２には、近接非接触通信を行う際に相手側となる外部側の近接非接触通信カード（つまり、外部近接非接触通信カード）３を静置した状態で保持する位置固定用のカードホルダ部２２が形成されている。
【００２４】
このうち、携帯電話機１には、下側筐体（メイン側筐体）１Ａ及び上側筐体（ＬＣＤ側筐体）１Ｂがヒンジ部１Ｃを中心として折畳み自在となった折畳式の携帯式移動体電話装置が用いられており、前述した第１アンテナ１１を介して携帯電話機１と図示外の基地局との通話若しくはデータ通信を行うとともに、第２アンテナ１２を介して外部近接非接触通信カード３との非接触によるデータ通信を行うようになっている。
【００２５】
そのため、この折畳式の携帯電話機１では、第１アンテナ１１を下側筐体１Ａに突設した状態で備えている一方、第２アンテナ１２は下側筐体１Ａに内蔵されている。
特に、この第２アンテナ１２は、外部近接非接触通信カード３との非接触によるデータ通信を確実に、かつ、安定した状態で行うため、充電台２に開いてセットした状態の下側筐体１Ａにおいて、図１（図２も同様）に示すように、後述する充電台２のカードホルダ部２２に近い外面寄り（図１では右側面寄り）に内設されている。
【００２６】
充電台２は、通常、携帯電話機１の下側筐体１Ａなどに設けた図示外のメイン電池（バッテリパック）の充電を行うためのものであり、上下の筐体１Ａ，１Ｂを開いたまま、下側筐体１Ａの方を傾斜させた状態で差し込んで収容すると、下側筐体１Ａに設けた図示外の充電用の端子と接触して導通する電極を奥部（下部側）に設けた搭載部２１と、この搭載部２１へ差し込まれた下側筐体１Ａ内部の第２アンテナ１２と外部近接非接触通信カード３との間で非接触によるデータ通信を行うために外部近接非接触通信カード３を第２アンテナ１２に接近させた状態で収容するカードホルダ部２２とを備えている。
【００２７】
特に、この近接非接触通信では、携帯電話機１内にある第２（近接非接触通信用）アンテナ１２と外部近接非接触通信カード３との間で信号のやりとりを行うため、第２アンテナ１２と外部近接非接触通信カード３とをできるだけ近接させるのと同時に、ずれなどのない同調状態を実現して安定した近接非接触通信を行う必要があるため、カードホルダ部２２は、筐体２０の背面側の搭載部１３にできるだけ近接した部分で、かつ、搭載部１３の設置方向と平行に対向して設置してある。
【００２８】
即ち、このカードホルダ部２２には、筐体２０の最上部に開口された外部近接非接触通信カード３の挿入口２２Ａと、この挿入口２２Ａに臨んで筐体２０に穿設された収容穴（この場合、縦穴を構成している）２２Ｂとを備えており、最上部の挿入口２２Ａから挿入させることにより、自重で最下部まで入り込んだ外部近接非接触通信カード３をその状態で揺動することなく安定した静置状態で保持できるように構成されている。
【００２９】
なお、本発明において、充電台２の外部近接非接触通信カード３を挿入するカードホルダ部２２のうち第２アンテナ１２に接近した上面側部分及び携帯電話機１に内蔵した前述の第２アンテナ１２の各表面などの部分は、即ち第２アンテナ１２と外部近接非接触通信カード３との間の通信エリアに含まれる充電台２のカードホルダ部２２などは、他の部分よりも透磁率が低く、かつ、非導電性の材料、例えばＡＢＳ樹脂、シリコーン樹脂、或いはゴムなど（勿論、これに限定されない）の適宜の材料で形成してある。
【００３０】
つまり、カードホルダ部２２と第２アンテナ１２（近接非接触通信システム用アンテナ）との間で、磁界（又は電界）による近接非接触通信を行う際の障害となる磁気（又は電気）シールド効果などが生ずるのを防止するために、少なくともこれらの間の携帯電話機１や充電台２の基材やコーティング材料には、透磁率が低く、かつ、非導電性の材料で形成したものを使用するようになっている。これにより、近接非接触通信で使用している磁界（又は電界）を遮らず、更に安定した近接非接触通信を行うことができるようになっている。
【００３１】
従って、本実施の形態によれば、充電台２に形成された近接非接触通信カード３の挿入口２２Ａに、外部近接非接触通信カード３を挿入し、外部近接非接触通信カード３の位置を固定させる。
すると、図１に示すように、近接非接触通信システムに対応した携帯電話機１の下側筐体１Ａの外面寄り（図１において右寄り）にある第２アンテナ１２は、充電台２のカードホルダ部２２に差し込まれた外部近接非接触通信カード３と近接した並列対向状態で位置することとなる。その結果、安定した同調動作が得られるようになり、外部近接非接触通信カード３との間で近接非接触通信を安定して行うことができる。
【００３２】
なお、図２に示すように、第２アンテナ１２が折畳式の携帯電話機１の上側筐体１Ｂに設置された構成の場合には、充電台２については、カードホルダ部２２が、搭載部２１の上部（セットする携帯電話機１の第１アンテナ１１の直上部分）から、上下の筐体の外面差ｄと同程度だけ上側筐体１Ｂ寄りに突出させた状態で設ける構成とするのが好ましい。
【００３３】
また、本実施形態では、近接非接触通信システムに対応した携帯電話機１として、折畳式のものを用いたが、例えば図３に示すように、棒状（ストレート状）のものであっても、第２アンテナ１２が筐体１Ｄの下部でできるだけ外側（図３では左側面）寄りに設置されてあれば、同様の構成の充電台２でも同様の効果を得ることが可能である。
【００３４】
このような本発明の第１の実施形態によれば、近接非接触通信システムに対応した携帯電話機１に搭載した第２アンテナ１２（近接非接触通信システム用のアンテナ）と、外部近接非接触通信カード３とが近接非接触通信を行う時、近接非接触通信カード３の位置を第２アンテナ１２に対応した位置で充電台２に固定している。このため、従来は手で外部近接非接触通信カードを持っていたために発生していた外部近接非接触通信カードの位置ずれによる近接非接触通信エラーなどが起こらず、安定した通信ができる。
【００３５】
［第２の実施形態］
次に、本発明の第２の実施形態に係る携帯電話機及びこの携帯電話機の充電台について図４及び図５を参照しながら説明する。なお、本実施の形態において、第１の実施形態と同一部分には同一符号を付して重複説明を避ける。
本実施形態では、第１の実施形態とは異なり、携帯電話機１を略水平方向にセットさせるタイプの充電台４を用いており、携帯電話機１内にある第２アンテナ１２（近接非接触通信用のアンテナ）の位置に応じて、図４または図５のような構成を有している。
【００３６】
即ち、この充電台４は、例えば図４に示すように、下側筐体１Ａに第２アンテナ１２を設けた構成のものに対しては、断面略矩形状を呈する筐体４０の上面部分に形成した凹所に、下側筐体１Ａを略水平状態で収容するとともに携帯電話機１の下側筐体１Ａに設けた充電用の端子（図略）と接触導通させるための電極（図略）を設けた搭載部４１と、この搭載部４１へセットされた下側筐体１Ａ内部に設けてある第２アンテナ１２と外部近接非接触通信カード３との間で非接触によるデータ通信を行うために外部近接非接触通信カード３を収容するカードホルダ部４２とを備えている。
【００３７】
このうち、カードホルダ部４２は、外部近接非接触通信カード３を水平方向に差し込ませて収容するために、充電台４の筐体４０前面部分（図４では左側面に対応する）に開口された挿入口４２Ａと、この挿入口４２Ａに臨んで水平方向に穿設した収容穴４２Ｂとを有しており、挿入口２２Ａから収容穴４２Ｂの最奥部まで入り込ませた外部近接非接触通信カード３をそのまま静置した状態で一定に保持できるように構成されている。
【００３８】
他方、図５に示すように、第２アンテナ１２を上側筐体１Ｂに設けた携帯電話機１に充電を行う充電台４の場合には、筐体４０の前面寄り（図５では左側面寄り）の上面部分に形成した凹所に、下側筐体１Ａを略水平状態で収容し携帯電話機１の下側筐体１Ａに設けた充電用の端子（図略）と接触導通させるための電極（図略）を設けた搭載部４１と、この搭載部４１に隣接して傾斜状態に設けた支承部４３と、この支承部４３に支承される上側筐体１Ｂ内部の第２アンテナ１２と外部近接非接触通信カード３との間でデータ通信を行うために外部近接非接触通信カード３を収容するカードホルダ部４４とを備えている。
【００３９】
このうち、カードホルダ部４４は、外部近接非接触通信カード３を支承部４３と同一角度に傾斜させた状態で収容するために、充電台４の筐体４０後面部分（図５では右側面に対応する）に開口された挿入口４４Ａと、この挿入口４４Ａに臨んで支承部４３の傾斜方向と同一斜め方向に穿設した収容穴４４Ｂとを有しており、挿入口４４Ａから最奥部まで入り込ませた外部近接非接触通信カード３をそのまま静置させた状態で保持できるように構成されている。
【００４０】
なお、本発明の第２の実施形態においては、図４，５のいずれのタイプの折畳式携帯電話機１でも、上側筐体１Ｂに第１アンテナ１１を設けた構成としたが、特にこれに限るものではなく、例えば下側筐体１Ａに第１アンテナ１１を設置してあっても構わない。
また、本発明の第２の実施形態でも、特にこの折畳式の携帯電話機１に限定されるものではなく、棒状（ストレート状）の携帯電話機などにも同様に適用可能である。
【００４１】
［第３の実施形態］
次に、本発明の第３の実施形態に係る携帯電話機及びこの携帯電話機の充電台について図６を参照しながら説明する。なお、本実施形態において、第１の実施形態と同一部分には同一符号を付して重複説明を避ける。
【００４２】
本実施形態では、近接非接触通信カード３の縦横各辺の寸法比がある程度大きなものを使用する場合に好適な構成のものであって、カードホルダ部２２は、収容穴２２Ｂの深さＨを、近接非接触通信カード３の縦横各辺の長さのうち短辺の寸法に合わせて浅くした短尺形状を有している。
【００４３】
即ち、この充電台２では、外部近接非接触通信カード３の長辺方向を水平向きにして挿入し、つまり横向きに配置した状態で挿入口２２Ａから収容穴２２Ｂの奥部まで挿入し、その外部近接非接触通信カード３の位置を固定・保持させるように構成されている。なお、この充電台２では、カードホルダ部２２の挿入口２２Ａは、カードホルダ部２２の最上部に開口されている。
【００４４】
従って、本実施形態によれば、前述したように、充電台２のカードホルダ部２２へ収容するときの外部近接非接触通信カード３の向きは、外部近接非接触通信カード３の長手方向を平行にした横向き状態にするため、第１アンテナ（携帯無線用アンテナ）１１と外部近接非接触通信カード３のアンテナとの距離Ｌ（以下、これを「第１アンテナ間距離」とよぶ）を大きく離すことができるようになる。その結果、アンテナ同士の結合によるアンテナ特性劣化を防ぐことができるという利点を有する。
【００４５】
また、本実施形態でも、近接非接触通信システムに対応した携帯電話機１に搭載した第２アンテナ（近接非接触通信アンテナ）１２と外部近接非接触通信カード３とで近接非接触通信を行う時、近接非接触通信カード３を、第２アンテナ（近接非接触通信アンテナ）１２に対応した位置のところで充電台２のカードホルダ部２２に固定して静置するので、手で外部近接非接触通信カード３を持っていた時に発生していた位置ずれによる近接非接触通信エラーが起こらず、安定した通信ができる。
【００４６】
なお、本実施形態においては、第１アンテナ１１を下側筐体１Ａに設けた構成としたが、特にこれに限るものではなく、これ以外に、例えば上側筐体１Ｂに第１アンテナ１１を設置してあっても構わないものであり、この場合には「第１アンテナ間距離Ｌ」が一層拡大するので、より好ましい。
また、本実施形態では、特にこの折畳式の携帯電話機１に限定されるものではなく、これ以外に、例えば棒状（ストレート状）の携帯電話機などにも同様に適用可能である。
【００４７】
［第４の実施形態］
次に、本発明の第４の実施形態に係る携帯電話機及びこの携帯電話機の充電台２について図７及び図８を参照しながら説明する。なお、本実施の形態において、第１〜第３の実施形態と同一部分には同一符号を付して重複説明を避ける。
【００４８】
図７は第４の実施形態に係る携帯電話機１及びこの携帯電話機１の充電台２を示すものであり、この充電台２では、図１に示す第１の実施形態とは異なり、充電台２に形成されたカードホルダ部２３の挿入口（図示せず）が、筐体２０の最上部ではなく、左右いずれか一方の側面部分に開口されており、要するに、横穴で構成されている。
【００４９】
これにより、外部近接非接触通信カード３をその挿入口から水平方向に平行にスライドさせて収容穴２３Ｂの奥部まで挿入していき、外部近接非接触通信カード３の位置を固定させるようになっている。
【００５０】
なお、本実施形態の充電台２でも、外部近接非接触通信カード３の縦横各辺の寸法比が異なる矩形形状のものに対応させており、例えば図７に示す縦差し入れタイプと、図８に示す横差し入れタイプとの使用態様に応じて、その高さ（深さ）方向の寸法が異なっている。
【００５１】
（１）縦差し入れタイプの場合：
この場合には、図７に示すように、カードホルダ部２３の収容穴２３Ｂの高さＨが、近接非接触通信カード３の縦横各辺の長さのうち長辺寸法に対応した縦長形状を有している。
【００５２】
従って、近接非接触通信カード３を縦入れさせるカードホルダ部２３を有するタイプでは、筐体２０の最上部に挿入口２２Ａが開口してある第１の実施の形態とは異なり、前述したように、充電台２に設けてあるカードホルダ部２３の挿入口が、筐体２０の側面に開口してある。
このため、上から落下してくる埃などが図示しない挿入口から入り込むのを防止できる。従って、長期間に亙り、挿入口から侵入して収容穴２３Ｂの最下部などに堆積してその埃等による故障などが発生する、といったトラブルを防止できるようになる。
【００５３】
（２）横差し入れタイプの場合：
この場合には、図８に示すように、カードホルダ部２３の収容穴２３Ｂの高さＨが、近接非接触通信カード３の縦横各辺の長さのうち短い短辺寸法に対応した低い高さに形成してある。
【００５４】
従って、このタイプの場合には、充電台２のカードホルダ部２３の側面に設けた挿入口から収容穴２３Ｂに、外部近接非接触通信カード３の長辺が水平方向に平行となる姿勢で横向きに差し込んで挿入するように構成されている。このため、第１アンテナ１１（携帯無線用のアンテナ）と外部近接非接触通信カード３のアンテナとの間の「第１アンテナ間距離Ｌ」をある程度の距離に確保することができるようになり、アンテナ同士の結合によるアンテナ特性劣化を防ぐことができるようになる。
【００５５】
なお、本実施形態においては、第１アンテナ１１を下側筐体１Ａに設けた構成としたが、特にこれに限るものではなく、上側筐体１Ｂに第１アンテナ１１を設置してあっても構わないものであり、この場合には「第１アンテナ間距離Ｌ」が一層拡大するので、より好ましい。
また、本実施形態では、特にこの折畳式の携帯電話機１に限定されるものではなく、棒状（ストレート状）の携帯電話機などにも同様に適用可能である。
【００５６】
［第５の実施形態］
次に、本発明の第５の実施形態に係る携帯電話機及びこの携帯電話機の充電台２について図９及び図１０を参照しながら説明する。なお、本実施形態において、第１〜第４の実施形態と同一部分には同一符号を付して重複説明を避ける。
【００５７】
図９及び図１０は、第５の実施形態に係る携帯電話機１及びこの携帯電話機１の充電台２を示すものであり、本実施形態の充電台２では、第１の実施の形態〜第４の実施形態とは異なり、外部近接非接触通信カード３を挿入して外部近接非接触通信カード３の位置を固定させるカードホルダ部２４と、このカードホルダ部２４をスライド自在に収容する筐体２０に設けたスライド穴２５と、このスライド穴２５に対してカードホルダ部２４を手動又は電動によりスライド可能とする図示外のスライド機構とを備えており、携帯電話機１の第２アンテナ１２の設置位置に対応して外部近接非接触通信カード３をできるだけ近接させるようになっている。
【００５８】
（１）手動操作の場合：
カードホルダ部２４は、外部近接非接触通信カード３を収容可能な略扁平した角筒形状に形成されて（例えば図９の紙面の表裏方向の寸法が厚さ（ｔ）方向の寸法よりも大きく形成された）おり、スライド穴２５に対して深さ（上下）方向に移動可能に配置させている。
【００５９】
一方、スライド穴２５には、カードホルダ部２４の形状に合わせて略角筒形状のスライド空間を形成している。また、このスライド穴２５には、カードホルダ部２４の位置決めを正確に行うために、上側停止位置と下側停止位置とに対応してこれの位置を確認するための適宜手段、例えばストッパなどの固定手段も設置している。
【００６０】
スライド機構は、手動操作でスライド操作させるためのものであり、例えば単純な構成とするには、スライド動作の駆動手段として、例えば圧縮ばねなど用いるのが、コスト的にも好ましいが、この圧縮ばねなどを用いる場合には、その上下停止位置を規定するために前述の固定手段を備えることが必要である。この他に、例えば精密な位置決めを行うために、ラックピニオンや次に述べるボールねじなどを用いても良い。
【００６１】
つまり、このボールねじを用いる場合には、このスライド機構には、スライド穴２５の深さ方向に沿って設けた図示外のガイドレールと、このガイドレールと平行に配設した図示外のボールねじと、カードホルダ部２４と一体に取付けボールねじに螺合させる雌ねじを設けたスライダと、ボールねじを正逆いずれかの方向に回転させるために筐体２０の外部に設けた操作用つまみなどを備え、このつまみを回転操作させてカードホルダ部２４をスライドさせるように構成するものである。
【００６２】
（２）電動操作の場合：
この場合にも、スライド機構として、手動操作と同様にラックピニオンやボールねじを用いることが可能であるが、例えばラックピニオンを用いる場合にはピニオンを駆動するために小型のステップモータなどを、また、ボールねじを使用する場合には、同様に、このボールねじを駆動する小型のステップモータなどを付設させればよい。
【００６３】
従って、本実施形態でも、近接非接触通信を行う場合には、第２アンテナ１２と外部近接非接触通信カード３を近接させる必要があるが、例えば各種タイプの携帯電話機についてこの１台の充電台２で共用して近接非接触通信を行わせるような使用方法の場合には、各自が自己の携帯電話機の第２アンテナ１２の設置位置に応じて、スライド機構を操作するようにすればよい。つまり、カードホルダ部２４を、携帯電話機１の第２アンテナ１２が設けてある上部側又は下部側の筐体位置に合わせて、適宜にカードホルダ部２４を上下移動させれば、各種タイプの携帯電話機に対応させることができる。
【００６４】
例えば、第２アンテナ１２が携帯電話機１の下側筐体１Ａに設けてある場合には、図９に示すように、カードホルダ部２４をスライド穴２５において下部側へ移動させ、外部近接非接触通信カード３に近接させる。
【００６５】
一方、第２アンテナ１２が携帯電話機１の上側（ＬＣＤ）筐体１Ｂに設けてある場合には、図１０に示すように、カードホルダ部２４をスライド穴２５において上部側へスライドさせ、外部近接非接触通信カード３に近接させる。
【００６６】
従って、本実施形態によれば、手で外部近接非接触通信カードを持っていた時に発生していた位置ずれによる近接非接触通信エラーが起こらず、安定した通信ができるばかりか、外部近接非接触通信カード３の固定用のカードホルダ部２４を、携帯電話機１に搭載される第２アンテナ１２の位置に応じて、上下にスライドさせることができる。
これにより、多くの機種、つまり近接非接触通信システムに対応した折畳式の携帯電話機１の上下筐体のいずれに第２アンテナ１２が設置してあっても、その位置に応じて外部近接非接触通信カード３の固定用のカードホルダ部２４の位置も切替えることができる。
【００６７】
従って、何れのタイプの携帯電話機１でも、この充電台２が１種類あれば、外部近接非接触通信カード３との良好な状態での近接非接触通信を行うことができるようになるので、例えば、製造メーカにおいても、新製品に合わせてわざわざ充電台２を新たに設計し直して製造するといった無駄も防止できる。
【００６８】
なお、本実施形態においても折畳式の携帯電話機１について説明してきたが、この携帯電話機１に設ける第１アンテナは、特に下側筐体１Ａに限るものではなく、上側筐体１Ｂに設置しても構わない。
また、本実施形態では、特にこの折畳式の携帯電話機１に限定されるものではなく、棒状（ストレート状）の携帯電話機などにも同様に適用可能である。
また、本実施形態において、挿入口２４Ａを設けていたが、図７，図８にあるように、筐体２０の左右いずれか一方から挿入するものでも構わない。
【００６９】
なお、本実施の形態では、本発明の近接非接触通信機器を、近接非接触通信機能とともに移動無線機能を有する携帯電話機に適用したが、本発明では特にこの移動無線機能を併設するものに限定されるのもではなく、単に近接非接触通信機能のみを有する近接非接触通信機器であってもよい。
【００７０】
【発明の効果】
以上のように、本発明は、近接非接触通信機能を有する近接非接触通信機器に充電を行う近接非接触通信機器の充電台であって、充電台の筐体には、近接非接触通信機器との間で近接非接触通信可能な近接非接触通信カードを保持するカードホルダ部を設けてあるので、近接非接触通信機器に搭載された近接非接触通信用のアンテナと、外部近接非接触通信カードとで行う近接非接触通信を、長期間に亙り、安定した状態で行うことができる信頼度の高い近接非接触通信機器の充電台を提供することができる。
【図面の簡単な説明】
【図１】本発明の第１の実施形態における近接非接触通信システムに対応した携帯電話機及びこの携帯電話機を搭載させる充電台を示す概略構成図である。
【図２】本発明の第１の実施形態における充電台の変形例を示す概略構成図である。
【図３】本発明の第１の実施形態における充電台のさらに他の変形例を示す概略構成図である。
【図４】本発明の第２の実施形態における近接非接触通信システムに対応した携帯電話機を搭載させる充電台を示す概略構成図である。
【図５】本発明の第２の実施形態における充電台の変形例を示す概略構成図である。
【図６】本発明の第３の実施形態における近接非接触通信システムに対応した携帯電話機を搭載させる充電台を示す概略構成図である。
【図７】本発明の第４の実施形態における近接非接触通信システムに対応した携帯電話機を搭載させる充電台を示す概略構成図である。
【図８】本発明の第４の実施形態における充電台の変形例を示す概略構成図である。
【図９】本発明の第５の実施形態における近接非接触通信システムに対応した携帯電話機を搭載させる充電台を示す概略構成図である。
【図１０】図９に示す本発明の第５の実施形態における充電台の作用を示す概略構成図である。
【図１１】従来の近接非接触通信システムに対応した携帯電話機とカードとの間での近接非接触通信の方法を示す説明図である。
【符号の説明】
１      携帯電話機（近接非接触通信機器を兼用）
１Ａ    下側筐体（メイン側筐体）
１Ｂ    上側筐体（ＬＣＤ側筐体）
１Ｃ    ヒンジ部
１Ｄ    （携帯電話機の）筐体
１１    携帯無線用アンテナ（第１アンテナ）
１２    近接非接触通信用アンテナ（第２アンテナ）
１３    搭載部
２      充電台
２０    筐体
２１    搭載部
２２    カードホルダ部
２２Ａ  挿入口
２２Ｂ  収容穴（縦穴）
２３    カードホルダ部
２３Ｂ  収容穴（横穴）
２４    カードホルダ部
２４Ａ  挿入口
２４Ｂ  収容口
２５    スライド穴
３      外部近接非接触通信カード
４      充電台
４０    筐体
４１    搭載部
４２    カードホルダ部
４２Ａ  挿入口
４２Ｂ  収容穴
４３    支承部
４４    カードホルダ部
４４Ａ  挿入口
４４Ｂ  収容穴
Ｄ      上下筐体の外面差
Ｈ      収容穴の深さ
Ｌ      第１アンテナ間距離
【図１】
2005020161.tif 000003
【図２】
2005020161.tif 000004
【図３】
2005020161.tif 000005
【図４】
2005020161.tif 000006
【図５】
2005020161.tif 000007
【図６】
2005020161.tif 000008
【図７】
2005020161.tif 000009
【図８】
2005020161.tif 000010
【図９】
2005020161.tif 000011
【図１０】
2005020161.tif 000012
【図１１】
2005020161.tif 000013